(57)【要約】【課題】回転ドラム内で加工した粉粒体製品を効率的に排出することができる粉粒体処理装置を提供する。【解決手段】胴体部３と、前壁部４および後壁部５と、回転ドラム２の内部の通気用多孔部を覆う位置に複数のすくい上げ板２０が配設される。回転ドラム２には、粉粒体製品の取出時に、製品排出プレート部材４０および製品排出促進スコープ部材５０が着脱自在に取付けられる。製品排出プレート部材４０は、製品搬送部４４と傾斜面部４５とを有し、傾斜面部４５の側縁部４５ａは前壁部４に接触し、端縁部４５ｂはすくい上げ板２０に接触する。製品排出促進スコープ部材５０は、樋状部材５５を有する。製品排出促進スコープ部材５０は、回転ドラム２の回転方向の前方位置に配置され、製品排出プレート部材４０は、回転ドラム２の回転方向の後方位置に配置される。【選択図】　　図４
2004097853.tif 000002
【特許請求の範囲】
【請求項１】
軸線回りに回転可能な回転ドラムを備え、前記回転ドラムは、筒状でかつその少なくとも一部に通気用多孔部を有する胴体部と、この胴体部に連なる傾斜状の前壁部および後壁部と、前記前壁部の端部に設けられた開口部とを有する粉粒体処理装置において、
前記回転ドラム内の粉粒体製品の排出時に、回転ドラムに着脱自在に取付けられ、その側縁部が前記前壁部に配置されると共に、その胴体部側の端縁部が胴体部に配置される製品排出プレート部材と、
前記回転ドラム内の粉粒体製品の排出時に、前記回転ドラムに着脱自在に取付けられ、その側縁部が胴体部に配置され、前記製品排出プレート部材に向かって粉粒体製品の流動を促進させる製品排出促進スコープ部材とを設けたことを特徴とする粉粒体処理装置。
【請求項２】
軸線回りに回転可能な回転ドラムを備え、前記回転ドラムは、筒状でかつその少なくとも一部に通気用多孔部を有する胴体部と、この胴体部に連なる傾斜状の前壁部および後壁部と、前記前壁部の端部に設けられた開口部とを有し、前記胴体部に所定角度ですくい上げ板を取付けた粉粒体処理装置において、
前記回転ドラム内の粉粒体製品の排出時に、回転ドラムに着脱自在に取付けられ、その側縁部が前記前壁部に配置されると共に、その胴体部側の端縁部がすくい上げ板に配置される製品排出プレート部材と、
前記回転ドラム内の粉粒体製品の排出時に、前記回転ドラムに着脱自在に取付けられ、その側縁部がすくい上げ板に配置され、前記製品排出プレート部材に向かって粉粒体製品の流動を促進させる製品排出促進スコープ部材とを設けたことを特徴とする粉粒体処理装置。
【請求項３】
前記すくい上げ板が、胴体部との間に回転ドラムの回転方向の前縁部での通気用開口部を有し、さらに前記回転ドラム内の粉粒体製品の排出時に、前記回転ドラムに着脱自在に取付けられ、前記通気用開口部を閉止する第２製品排出促進スコープ部材を有することを特徴とする請求項２に記載の粉粒体処理装置。
【請求項４】
前記製品排出促進スコープ部材と、第２製品排出促進スコープ部材と、製品排出プレート部材とを、回転ドラムの回転方向の前方から後方にかけて順次に配置したことを特徴とする請求項２に記載の粉粒体処理装置。
【発明の詳細な説明】
【０００１】
【発明の属する技術分野】
本発明は、医薬品，農薬，食品などの錠剤，ソフトカプセル，ペレット，顆粒などを製造する際に用いられる粉粒体処理装置に関し、詳しくは、回転ドラム内で粉粒体原料の造粒，コーティング，乾燥などの処理を行なった粉粒体製品を回転ドラムから自動的に排出する機構を備えた粉粒体処理装置に関する。
【０００２】
【従来の技術】
例えば、錠剤，顆粒などの粉粒体粒子にフィルムコーティングや糖衣コーティングなどを施すために、回転ドラムを備えた粉粒体処理装置が使用されている。横型回転ドラムを備えた粉粒体処理装置の基本構造例として、図１１および図１２に示すものが知られている。
【０００３】
図１１は横型回転ドラム２を有する粉粒体処理装置の側面図で、ケーシング１の中に回転ドラム２がその水平な軸線を中心に回転可能に配置される。回転ドラム２は円筒状または多角筒状の胴体部３と、胴体部３の軸方向前後両端側に連なる傾斜状の前壁部４および後壁部５と、前壁部４の先端中心に設けられたフロントリング６によって形成される開口部７を有する。胴体部３は通気用多孔部に構成され、この通気用多孔部の外面側にエアーチャンネル８が設けられる。各エアーチャンネル８はそれぞれ後壁部５の外面に沿って延び、給排気装置のディストリビュータ９に連通する。
【０００４】
ディストリビュータ９は給気ダクトと排気ダクトに接続されており、任意の空気チャネル８が所定の位置に回転移動してくると、この空気チャネル８を介して乾燥空気（温風）が回転ドラム２内に供給され、同時に、別の空気チャネル８を介して回転ドラム２内の空気が排出される。このようなディストリビュータ９の機能で、回転ドラム２内に上向きまたは下向き等の空気流が生じる。
【０００５】
回転ドラム２の前壁部４は、胴体部３から前方に傾斜状に延在し、その先端部にフロントリング６等のリング部材で構成される開口部７が設けられる。回転ドラム２内への粉粒体原料の投入、および回転ドラム２内からの粉粒体製品の排出は、開口部７を介して行なう。
【０００６】
図１２は、回転ドラム２内で粉粒体原料の造粒やコーティング処理を行なう時の状態を示すもので、開口部側から見た軸線方向に直交する縦断面を示している。回転ドラム２を駆動モータ１１によって矢印方向に回転させ、同時に給排気を行って、回転ドラム２内に粉粒体１２の転動床を形成し、その粉粒体１２の転動床に向けて、スプレーノズル１３からバインダ液やコーティング液等のスプレー液１４をスプレーする。これにより、回転ドラム２内の粉粒体粒子が湿潤を受けて凝集し、あるいは、粉粒体粒子の表面にスプレー液中の基材成分が付着して被複層が形成される。
【０００７】
上記のようにして造粒やコーティング処理を行った後、処理が完了した粉粒体製品を回転ドラム２内から排出するが、そのための機構として、従来、回転ドラムの前壁部の内面に中空状のブレードを突設して、排出時に回転ドラムを粉粒体処理時とは逆方向に回転させることにより、回転ドラム内の粉粒体製品を前記ブレードによって開口部まで案内して、開口部から自動排出する機構が知られている。（例えば、特許文献１参照。）。
【０００８】
あるいは、回転ドラムの前壁部の内面に板状部材により構成される中空状の製品排出手段を突設し、または、回転ドラムの胴体部の内面から前壁部の内面および開口部の近傍にかけて板状排出部材を突設し、排出時に回転ドラムを粉粒体処理時とは逆方向に回転させることにより、回転ドラム内の粉粒体製品を前記製品排出手段、板状排出部材によって開口部まで案内して、開口部から自動排出する機構が知られている（例えば、特許文献２参照。）。
【０００９】
【特許文献１】
英国特許公開第２０１７８８６号公報（第３頁第９４行、Ｆｉｇ．２）
【特許文献２】
特許第２７２６０６２号公報（第５欄第２７行、第１図、および第７欄第２１行、第５図）
【００１０】
【発明が解決しようとする課題】
上述した粉粒体処理装置によれば、回転ドラム２の正回転で粉粒体を処理し、回転ドラム２の逆回転で粉粒体製品を排出することができるが、排出部材が回転ドラムの内面に突起状に設けられているため、以下のような問題が生じる。
【００１１】
（１）粉粒体原料の処理時（回転ドラムの正回転時）、回転ドラム内の粉粒体１２が排出部材によって持ち上げられ、転動床の上層部分が波打つ現象が起こる。そのため、スプレー液１４の均一なスプレーが難しくなり、粉粒体製品の品質面に影響する場合がある。
【００１２】
（２）粉粒体製品の排出時（回転ドラムの逆回転時）、回転ドラム内の粉粒体製品の残量に応じて、排出部材によるすくい上げ量が変化するので、単位時間当たりの排出量の調整が困難である。
【００１３】
（３）回転ドラムの内部に排出部材による突起物があると、粉粒体原料の投入時、サンプリング製品の目視確認時、スプレーノズルの点検時の引出時、清掃時などにおける作業が不便である。
【００１４】
（４）粉粒体原料の処理時（回転ドラムの正回転時）と、粉粒体製品の排出時（回転ドラムの逆回転時）とで、回転ドラムを正回転または逆回転に切り換えなければならないため、正逆回転可能な駆動源が必要不可欠である。
【００１５】
そこで、本発明の目的は、粉粒体製品の確実な自動排出を可能にすると共に、粉粒体の処理時に、排出部材が回転ドラムの内面に突起状に設けられていることに起因する、上述した従来装置の問題点を解決することにある。
【００１６】
【課題を解決するための手段】
上記課題を解決するため、本発明は、軸線回りに回転可能な回転ドラムを備え、前記回転ドラムは、筒状でかつその少なくとも一部に通気用多孔部を有する胴体部と、この胴体部に連なる傾斜状の前壁部および後壁部と、前記前壁部の端部に設けられた開口部とを有する粉粒体処理装置において、前記回転ドラム内の粉粒体製品の排出時に、回転ドラムに着脱自在に取付けられ、その側縁部が前記前壁部に配置されると共に、その胴体部側の端縁部が胴体部に配置される製品排出プレート部材と、前記回転ドラム内の粉粒体製品の排出時に、前記回転ドラムに着脱自在に取付けられ、その側縁部が胴体部に配置され、前記製品排出プレート部材に向かって粉粒体製品の流動を促進させる製品排出促進スコープ部材とを設けたことを特徴とする構成を提供する。
【００１７】
上記の「側縁部が前記前壁部に配置される」、「その胴体部側の端縁部が胴体部に配置される」あるいは「その側縁部が胴体部に配置され」なる用語は、それぞれの側縁部や端縁部が、前壁部や胴体部に接触させて配置される場合や、処理する粉粒体原料の粒径寸法よりも小さい隙間を介して配置される場合を含むものである。
【００１８】
この構成によれば、従来の回転ドラム内に排出部材を固定した粉粒体処理装置に比較して、以下のような各種の優れた作用が得られる。
【００１９】
（１）回転ドラム内の粉粒体製品の排出時に、回転ドラムに、製品排出プレート部材を着脱自在に取付けると共に、前記製品排出プレート部材に向かって粉粒体製品の流動を促進させる製品排出促進スコープ部材を着脱自在に取付けるので、回転ドラムを所定方向に回転させることによって、回転ドラム内の粉粒体製品を、上述した製品排出促進スコープ部材によって、製品排出プレート部材の方に向かって流動させることができると共に、粉粒体製品を製品排出プレート部材によって、回転ドラムのマウスリングへと流動させることができる。したがって、粉粒体製品を回転ドラム内から自動的に、かつ確実に排出することができる。
【００２０】
（２）粉粒体原料の処理時には、回転ドラム内に製品排出プレート部材および製品排出促進スコープ部材が存在しないので、回転ドラム内の粉粒体原料が製品排出プレート部材および製品排出促進スコープ部材によって持ち上げられることに起因する転動床の上層部分が波打つ現象が起きない。そのため、スプレー液の均一なスプレーが可能になり、高品質の製品が短時間で得られる。
【００２１】
（３）粉粒体製品の排出時、回転ドラム内の粉粒体製品の残量による、製品排出プレート部材および製品排出促進スコープ部材によるすくい上げ量の変化が小さいので、単位時間当たりの排出量の調整が容易である。
【００２２】
（４）粉粒体製品の排出時以外の常時には、回転ドラム内に製品排出プレート部材および製品排出促進スコープ部材による突起物がないので、開口部から回転ドラム内に粉粒体原料を投入時、サンプリング製品の目視確認時、スプレーノズルの点検時の引出時および清掃時などの作業が容易に行なえる。
【００２３】
（５）粉粒体原料の処理時と粉粒体製品の排出時とで、回転ドラムを同一方向に回転させるため、一方向のみに回転可能な駆動源を使用することができ、正逆回転可能な駆動源は必ずしも必要ではない。ただし、既存の設備を改造する場合やその他の理由により、正逆回転可能な駆動源を用いることを排除するものではない。
【００２４】
本発明ではまた、軸線回りに回転可能な回転ドラムを備え、前記回転ドラムは、筒状でかつその少なくとも一部に通気用多孔部を有する胴体部と、この胴体部に連なる傾斜状の前壁部および後壁部と、前記前壁部の端部に設けられた開口部とを有し、前記胴体部に所定角度ですくい上げ板を取付けた粉粒体処理装置において、前記回転ドラム内の粉粒体製品の排出時に、回転ドラムに着脱自在に取付けられ、その側縁部が前記前壁部に配置されると共に、その胴体部側の端縁部がすくい上げ板に配置される製品排出プレート部材と、前記回転ドラム内の粉粒体製品の排出時に、前記回転ドラムに着脱自在に取付けられ、その側縁部がすくい上げ板に配置され、前記製品排出プレート部材に向かって粉粒体製品の流動を促進させる製品排出促進スコープ部材とを設けた構成としてもよい。
【００２５】
上記構成によれば、上述と同様の作用が得られるのみならず、回転ドラムの胴体部にすくい上げ板を取付けているので、粉粒体の処理時に、回転ドラム内の粉粒体が、すくい上げ板の前縁部ですくい上げられ、後縁部から落下するので、粉粒体の撹拌作用が向上して、高品質の粉粒体製品を短時間で製造できる。また、粉粒体製品の排出時には、回転ドラムに製品排出プレート部材および製品排出促進スコープ部材を着脱自在に取付けることによって、回転ドラムの回転動作により、すくい上げ板上の粉粒体製品が、製品排出促進スコープ部材で製品排出プレート部材側に流動させられ、流動させられた粉粒体製品が製品排出促進スコープ部材で、開口部に向かって搬送されていく。したがって、回転ドラム内から粉粒体製品を自動的に、かつ確実に排出することができる。
【００２６】
以上の構成において、前記すくい上げ板が、胴体部との間に回転ドラムの回転方向の前縁部での通気用開口部を有し、さらに前記回転ドラム内の粉粒体製品の排出時に、前記回転ドラムに着脱自在に取付けられ、前記通気用開口部を閉止する第２排出促進スコープ部材を有する構成としてもよい。
【００２７】
このような構成によれば、すくい上げ板が回転ドラムの回転方向の前縁部での通気用開口部を有するので、粉粒体の処理時に、前記通気用開口部を通ってすくい上げ板と胴体部との間の通気用通路を空気が流れて、後縁部での通気用開口部から回転ドラム内に放出されるので、すくい上げ板の後縁部から落下する粉粒体の撹拌効果を向上することができ、均質な粉粒体の処理が短時間で行なえる。また、粉粒体製品の排出時には、回転ドラムに第２製品排出促進スコープ部材を着脱自在に取付け、前縁部での通気用開口部を第２製品排出促進スコープ部材で閉止することによって、粉粒体製品がこの前縁部での通気用開口部個所に滞留したり、前縁部での通気用開口部を通ってすくい上げ板の下方に浸入したりすることが防止されるため、回転ドラム内の製品を最後の１個まで確実に排出することが可能になる。
【００２８】
以上の構成において、前記製品排出促進スコープ部材と、第２製品排出促進スコープ部材と、製品排出プレート部材とを、回転ドラムの回転方向の前方から後方にかけて順次に配置した構成としてもよい。
【００２９】
上記の構成によれば、すくい上げ板上の粉粒体製品が、回転ドラムの所定方向への回転動作に伴って、製品排出促進スコープ部材によって製品排出プレート部材側に流動させられ、先行するすくい上げ板から後続のすくい上げ板に落下移動する際に、後続のすくい上げ板の前縁部での通気用開口部が第２製品排出促進スコープ部材によって閉止されているから、粉粒体製品が後続のすくい上げ板の前縁部での通気用開口部に滞留したり、その通気用開口部に浸入したりすることが防止され、さらに後続のすくい上げ板に移動した粉粒体製品が製品排出プレート部材によって開口部に向かって搬送されていくので、粉粒体製品を回転ドラム内から自動的に、かつ確実に排出することができる。
【００３０】
【発明の実施の形態】
以下、本発明の実施形態に係る粉粒体処理装置について、図面を参照して説明する。
【００３１】
図１は、第１実施形態に係る粉粒体処理装置の回転ドラム２内で粉粒体原料の造粒やコーティング処理を行なう時の一部を断面で示す概略側面図で、図２は開口部側から見た軸線方向に直交する縦断面を示している。図１および図２において、図１１および図１２と同一の部分には同一参照符号を付したので、その説明を省略する。図１１および図１２との相違点は、本発明における回転ドラムは、基本的には一方向のみに回転可能であればよいので、所定方向にのみ回転可能な回転駆動源１５を設けている。また、回転ドラム２の胴体部３の各通気用多孔部に対して、回転ドラム２の回転方向の前方側が低く、後方側が高くなる傾斜状にすくい上げ板２０を取付けていることである。
【００３２】
回転ドラム２に取付けられたすくい上げ板２０は、すべて同一の台形状である。台形状にする理由は、回転ドラム２が、傾斜状の前壁部４および後壁部５を有しており、前述のように、すくい上げ板２０を回転ドラム２の回転方向の前方側が低く、後方側が高くなる傾斜状に取付けた場合、すくい上げ板２０の前縁部２０ａ側の側縁部は、前壁部４および後壁部５の胴体部３に近い位置に接するのに対して、すくい上げ板２０の後縁部２０ｂ側の側縁部は、前壁部４および後壁部５の胴体部３から離隔した位置に接するためである。
【００３３】
すくい上げ板２０は、図３に示すように、回転ドラム２の回転方向の前縁部２０ａの胴体部３からの高さ寸法ｈ１（図示省略）が、粉粒体の寸法ｄよりも大きい（ｈ１＞ｄ）前縁部での通気用開口部２１を設けて取付けられ、後縁部２０ｂの胴体部３からの高さ寸法ｈ２（図示省略）が、前記前縁部での通気用開口部２１の高さ寸法ｈ１よりも大きい（ｈ２＞ｈ１）後縁部での通気用開口部２２を設けるように、図示しないボルト軸およびナットにより、前低・後高の所定角度で傾斜状に取付けられている。そして、すくい上げ板２０と胴体部３の通気用多孔部との間に、通気用多孔部から供給された乾燥空気などが通り抜ける通気用通路２３が形成されている。
【００３４】
前記すくい上げ板２０の前縁部２０ａが、図３に示すように、胴体部３との間に、前縁部での通気用開口部２１を形成するすくい上げ板２０の前方部には、多角形状の胴体部３と略平行の屈曲部２０ｃを有する。そして、必要に応じて、胴体部３における前縁部での通気用開口部２１の回転方向の少し前方位置に、粉粒体がすくい上げ板２０の上面に乗り易いように、粉粒体のガイド部材２４が設けられている。
【００３５】
したがって、上記のすくい上げ板２０を有する粉粒体処理装置において、ダイレクト吸気方式によって給排気を行なう場合は、回転ドラム２の上部の空気チャンネル８を通って胴体部３の通気用多孔部から通気用通路２３およびすくい上げ板２０の後縁部２０ｂでの通気用開口部２２を通って胴体部３内に供給された乾燥空気が、回転ドラム２の下部のすくい上げ板２０の後縁部２０ｂから落下する粉粒体粒子１２，１２間を通り抜けて、すくい上げ板２０の後縁部２０ｂの通気用開口２２から通気用通路２３に入り、胴体部３の通気用多孔部から空気チャンネル８を通って回転ドラム２の外部に抜け出るので、すくい上げ板２０を有しない粉粒体処理装置に比較して、粉粒体粒子１２の転延効果が向上し、均一な処理を短時間で行なうことができる。
【００３６】
また、すくい上げ板２０の前縁部２０ａに前縁部での通気用開口部２１が形成されているので、この前縁部での通気用開口部２１付近の粉粒体粒子１２の転動床を通り抜けた乾燥空気が通気用通路２３に進入して、通気用多孔部から空気チャンネル８を通って排気ダクトに放出される結果、すくい上げ板２０の前縁部２０ａが胴体部３に接している場合に比較して、粉粒体粒子１２の乾燥効果がさらに向上する。
【００３７】
上記の粉粒体処理装置においては、図４に示すように、前記開口部７を形成するフロントリング６に、製品排出部３０が設けられている。この製品排出部３０は、フロントリング６の下方部に設けられた製品排出シュート３１と、この製品排出シュート３１に開閉自在に装着された蓋３２とで構成されている。製品排出シュート３１は、粉粒体原料の投入時や、粉粒体の処理時には、蓋３２によって閉止されており、粉粒体製品の排出時には蓋３２が取外される。
【００３８】
上記の粉粒体処理装置において、粉粒体製品の排出時には、回転ドラム２の前壁部４のマウスリングに、製品排出プレート部材４０が着脱自在に取付けられる。この製品排出プレート部材４０は、図５に示すように、マウスリングへの取付孔４１ａ，４１ｂを有する取付部４１と、この取付部４１からマウスリングに沿って円弧状に延びる円弧状部４２と、この円弧状部４２から中心部に向かってほぼ垂直状に立上り、かつ軸線方向に延びる基部４３と、基部４３から前壁部４に沿って胴体部３に向かって延びる製品搬送部４４と、この製品搬送部４４と隣接し、かつその製品搬送部４４側とは反対側の側縁部４５ａが前壁部４に接触し、かつ前壁部４に対して所定角度傾斜しているすくい上げ用の傾斜面部４５と、前記基部４３および製品搬送部４４の側縁部に沿って設けられ、かつ基部４３および製品搬送部４４に対して直立状または回転ドラム２の回転方向に向かって傾斜している粉粒体製品の落下防止用の縁部４６とを有している。
【００３９】
前記製品排出プレート部材４０は、回転ドラム２がすくい上げ板２０を有するか否かによって、その長さ寸法が設定される。すなわち、回転ドラム２の胴体部３にすくい上げ板２０を有しない場合は、製品排出プレート部材４０の製品搬送部４４，傾斜面部４５および縁部４６の胴体部３側の端部４４ｂ，４５ｂおよび４６ａは、胴体部３に接触または微小隙間で近接する長さに設定される。また、回転ドラム２の胴体部３にすくい上げ板２０が設けられている場合は、製品排出プレート部材４０の製品搬送部４４，傾斜面部４５および縁部４６の胴体部３側の端部４４ｂ，４５ｂおよび４６ａは、すくい上げ板２０に接触または微小隙間で近接する長さに設定される。図４は、すくい上げ板２０を設けている場合を示し、かつ前記端部４４ｂ，４５ｂは、すくい上げ板２０の上面に接触している。
【００４０】
前記製品搬送部４４は、基部４３から胴体部３側に向かって漸次その幅寸法が小さくなるように略三角形状に形成され、一方、前記傾斜面部４５は、基部４３側から胴体部３側に向かって漸次その幅寸法が大きくなるように略逆三角形状に形成されており、かつ前記製品搬送部４４は、前壁部４に対してほぼ垂直状に、また、前記傾斜面部４５は、前壁部４に対して適当な傾斜角度，例えば８５°〜４５°程度の傾斜状になるように、製品搬送部４４と傾斜面部４５との接合部４４５で、図４および図５の手前方向に凸状に屈曲されている。
【００４１】
図６は粉粒体製品の排出時において、回転ドラム２のマウスリングに着脱自在に取付けられている製品排出促進スコープ部材５０の斜視図である。この製品排出促進スコープ部材５０は、マウスリングへの取付孔５１ａ，５１ｂを有する取付部５１と、取付部５１からマウスリングに沿って円弧状に延びる円弧状部５２と、この円弧状部５２から前壁部４に沿って延びる支持部材取付部５３と、この支持部材取付部５３に取付けられた複数の棒状の支持部材５４と、これらの支持部材５４に固定された樋状部材５５とを有する。
【００４２】
前記樋状部材５５は、底板部５５ａと、この底板部５５ａの両側縁部から立上る立上部５５ｂ，５５ｃと、一方の立上部５５ｂから横方向に延びるフランジ部５５ｄとを有する。この樋状部材５５は、胴体部３にすくい上げ板２０を設けていない場合は、そのフランジ部５５ｄが胴体部３に接触し、胴体部３にすくい上げ板２０を設けている場合は、そのフランジ部５５ｄがすくい上げ板２０に接触し、かつその長さ方向の一端部５５ｅが回転方向の前方位置に、また他端部５５ｆが回転方向の後方位置になるように、回転方向に対して傾斜して設けられる。
【００４３】
図６に示す実施形態は、回転ドラム２にすくい上げ板２０を取付けている場合で、樋状部材５５のフランジ部５５ｄがすくい上げ板２０に接触し、かつその一端部５５ｅがすくい上げ板２０の回転方向の前方位置に、また他端部５５ｆがすくい上げ板２０の回転方向の後方位置になるように、回転方向に対して傾斜して設けられている。この樋状部材５５の他端部５５ｆが、すくい上げ板２０の後縁部２０ｂよりも食み出す場合には、図示するように、フランジ部５５ｄと一体に、すくい上げ板２０と面一状またはそれよりも若干低くなるようにガイド部材５５ｇを設ける。
【００４４】
前記樋状部材５５の底板部５５ａは、一端部５５ｅ側では幅広状に、また他端部５５ｆ側では幅狭状に形成されている。それによって、前述の製品排出プレート部材４０から遠い部分にある粉粒体製品を、効果的に製品排出プレート部材４０側に流動させることができるようになっている。
【００４５】
なお、上記製品排出プレート部材４０および製品排出促進スコープ部材５０は、製品排出促進スコープ５０を回転方向の前方側のすくい上げ板２０に、製品排出プレート部材４０を回転方向の後方側のすくい上げ板２０になるように、それぞれ異なるすくい上げ板２０位置に配設する。この場合、製品排出プレート部材４０および製品排出促進スコープ部材５０が隣接するすくい上げ板２０に設けられてもよいし、１個または複数個離れたすくい上げ板２０に設けられてもよい。それによって、回転ドラム２内の粉粒体製品が、回転ドラム２の回転動作によって、まず先行する製品排出促進スコープ部材５０によってすくい上げられて製品排出プレート部材４０側に流動させられ、この製品排出プレート部材４０側に流動させられた粉粒体製品が、後続の製品排出プレート部材４０によって製品排出部３０から排出される。
【００４６】
次に、上記の粉粒体処理装置の動作について説明する。まず、粉粒体原料の投入時，粉粒体の処理時，サンプリング品質確認時，点検時および清掃時などには、製品排出プレート部材４０および製品排出促進スコープ部材５０を、粉粒体処理装置に取付けない。したがって、開口部７から回転ドラム２内への粉粒体原料を投入時，サンプリング品質確認時，点検時および清掃時などの作業は、従来と同様に行なえる。
【００４７】
また、粉粒体の処理時には、回転ドラム２内に粉粒体原料を供給し、回転ドラム２を回転駆動源１５によって所定方向に回転駆動すると共に、所定温度に温度制御された気体、例えば乾燥空気が通気チャンネル８に供給され、通気チャンネル８から通気用多孔部を通って回転ドラム２内に給気される。また、回転ドラム２内の乾燥空気が他の通気用多孔部および通気チャンネル８を介して、回転ドラム２の外部に排気される。
【００４８】
このとき、回転ドラム２に対する給排気は、ダイレクト給気（上部通気用ダクトから給気、下部通気用ダクトから排気）、リバース給気（下部通気用ダクトから給気、上部通気用ダクトから排気）の他、センター給気、すなわち、回転ドラム２の前部（マウスリング）の中心部にセンター通気用ダクトを配設し、センター通気用ダクトから給気、下部通気用ダクトから排気を行なう構成としてもよい。
【００４９】
回転ドラム２内に供給された粉粒体原料は、回転ドラム２内で転動床を形成する。そして回転ドラム２の所定方向への回転動作によって、すくい上げ板２０がない場合は、転動床がその上面部から流動していき、すくい上げ板２０がある場合は、その前縁部２０ａからすくい上げ板２０上にすくい上げられた粉粒体原料が、その後縁部２０ｂから落下する。ダイレクト吸気の場合、胴体部３の上部にある通気用多孔部を通過した乾燥空気の大部分は、すくい上げ板２０との間に形成された通気用通路２３を通り、後縁部での通気用開口部２２を通って回転ドラム２の内部に流入する。また、すくい上げ板２０の前縁部２０ａに前縁部での通気用開口部２１を形成している場合は、通気用多孔部を通った乾燥空気の残部が、この前縁部での通気用開口部２１から回転ドラム２内に流入する。
【００５０】
回転ドラム２内に流入した乾燥空気の大部分は、すくい上げ板２０によってすくい上げられた粉粒体粒子１２が、すくい上げ板２０の後縁部２０ｂから落下する際に、その落下する粉粒体粒子１２，１２間を通り抜けて粉粒体粒子１２を乾燥すると共に、すくい上げ板２０の後縁部での通気用開口部２２から通気用通路２３を通り、通気用多孔部から空気チャンネル８を通って排気用ダクトから外部に放出される。また、回転ドラム２内に供給された乾燥空気の一部は、回転ドラム２底部の粉粒体粒子１２の転動床を通り抜けて粉粒体粒子１２を乾燥すると共に、すくい上げ板２０の前縁部での通気用開口部２１から通気用通路２３に入り、胴体部３の通気用多孔部を通って空気チャンネル８を通って排気用ダクトから外部に放出される。このようにして、すくい上げ板２０の後縁部での通気用開口部２２および前縁部での通気用開口部２１を利用して、粉粒体粒子１２が効果的に乾燥される。
【００５１】
上記のようにして回転ドラム２に対する給排気を行ないつつ、回転ドラム２内の粉粒体粒子（錠剤など）１２の転動床に向けてスプレーノズル１３からコーティング液１４をスプレーする。これにより、粉粒体粒子１２の表面にスプレー液１４中の基材成分が付着乾燥して被複層が形成される（フィルムコーティング）。あるいは、スプレー液１４により粉粒体粒子１２の表面を適当な湿潤状態にし、シュガーなどの粉末を散布添加して粒子表面の被覆を行なう（粉末添加方式：糖衣コーティングなど）。
【００５２】
処理過程において、回転ドラム２内の粉粒体粒子１２は、すくい上げ板２０上を転動し、すくい上げ板２０の後縁部２０ｂからシャワー状に落下して、その後方のすくい上げ板２０上に乗り移る。
【００５３】
上記の構成によると、胴体部３の通気用多孔部を覆う位置にすくい上げ板２０を配設しているので、粉末添加方式を採用する場合でも、粉末添加物が通気用多孔部の通気孔から漏れたり、あるいは、粉末添加物が通気用多孔部の通気孔に付着して目詰まりを起こしたりする心配がない。
【００５４】
したがって、この実施形態の粉粒体処理装置は、回転ドラム２に対するすくい上げ板２０を着脱することなく、単に回転ドラム２の回転数を変更するのみで、粉末添加方式、糖衣コーティングおよびフィルムコーティングのいずれにも最適な状態で使用することができる。
【００５５】
次に、上記粉粒体処理装置の回転ドラム２内から粉粒体製品を排出する場合について説明する。この製品排出時には、図４および図５に示すように、回転ドラム２のマウスリングに、製品排出プレート部材４０および製品排出促進スコープ部材５０を、それぞれの取付孔４１ａ，４１ｂおよび５１ａ，５１ｂを利用して着脱自在に取付ける。このとき、前述のように、製品排出促進スコープ部材５０を回転方向の前方位置に、製品排出プレート部材４０を回転方向に後方位置に配置する。また、製品排出部３０の蓋３２を取外して、製品排出シュート３１の下方に、製品収容容器（図示省略）を配置しておく。
【００５６】
そして、回転ドラム２を回転駆動源１５によって、所定方向，すなわち、粉粒体の処理時と同一方向に回転させる。すると、すくい上げ板２０上にすくい上げられた粉粒体製品が、まず回転方向の前方に位置する製品排出促進スコープ５０の樋状部材５５によってすくい上げられ、かつその底板部５５ａの傾斜面に沿って、順次、製品排出プレート４０側に流動していく。
【００５７】
すると、回転方向の後方に位置する製品排出プレート部材４０が、流動してきた粉粒体製品を傾斜面４５の側縁部４５ａおよび端縁部４５ｂですくい上げ、順次、隣接する製品搬送路４４に搬送していき、さらに基部４３から円弧状部４２を通って、製品排出部３０の製品排出シュート３１に排出され、製品排出シュート３１からその下方に配置している製品収容容器に収容されていく。
【００５８】
次に、他の実施形態の粉粒体処理装置について説明する。この実施形態は、上記の製品排出プレート部材４０を改良して、粉粒体製品の排出効率を向上するようにしたものである。
【００５９】
図７（Ａ）はその製品排出プレート部材６０の正面図を示し、図７（Ｂ）は追加された排出促進プレート部４７の平面図を示す。図８はその回転ドラム２への取付状態の概略斜視図を示す。この製品排出プレート部材６０は、図４および図５に示す製品排出プレート部材４０の縁部４６に沿って、略三角形状の排出促進プレート部４７を設けたものである。この排出促進プレート部４７は、略三角形状の搬送部４７ａと、縁部４６の中途部から胴体部３に向かって固定される側縁部４７ｂと、すくい上げ板２０に接触する端縁部４７ｃと、前記側縁部４７ｂと端縁部４７ｃとを除く部分に設けられた立上部４７ｄとを有する。
【００６０】
なお、追加された排出促進プレート部４７は、製品搬送路４４よりも縁部４６に高さ寸法分だけ、回転ドラム２の回転方向の前方に位置している。それによって、排出促進プレート部４７によってすくい上げられた粉粒体製品が、製品搬送路４４に流動し易くなっている。
【００６１】
また、追加された排出促進プレート部４７は、製品搬送路４４と平行状に配置されてもよいが、製品搬送路４４に対して、回転ドラム２の回転方向の前方に向かって、適当な角度だけ傾斜させることが望ましい。それによって、排出促進プレート部４７によってすくい上げられた粉粒体製品が、製品搬送路４４に流動し易くなっている。
【００６２】
上記の製品排出プレート部材６０によれば、前記製品排出プレート部材４０に比較して、追加された排出促進プレート部４７によっても、すくい上げ板２０上の粉粒体製品がすくい上げられて、製品搬送部４４に移送されるので、回転ドラム２からの粉粒体製品の排出効率が向上する。なお、排出促進プレート部４７の端縁部４７ｃの長さ寸法Ｌを長くすればするほど、すくい上げ板２０上の粉粒体製品のすくい上げ効率が向上するが、長さ寸法Ｌはすくい上げ板２０の大きさを考慮して適宜設定すればよい。
【００６３】
図９はすくい上げ板２０を具備する粉粒体処理装置において、粉粒体製品の排出時に、上記の製品排出促進スコープ部材５０または６０と共に用い得る第２製品排出促進スコープ部材７０の取付け状態の概略斜視図を示す。この第２製品排出促進スコープ部材７０は、マウスリングに取付けられる取付孔７１ａ，７１ｂを有する取付部７１と、この取付部７１からマウスリングにそって円弧状に延びる円弧状部７２と、この円弧状部７２から回転ドラム２の前壁部４に沿って延びる支持部材取付部７３と、この支持部材取付部７３に取付けられた複数の棒状の支持部材７４と、これらの支持部材７４に固定された断面がくの字状の閉止部材７５とを有する。
【００６４】
この第２製品排出促進スコープ部材７０は、前記閉止部材７５が、前方部分７５ａと後方部分７５ｂとを有し、粉粒体製品の排出時に、図１０に示すように、前方部分７５ａを進入阻止部材２４の後方側の斜面部に接触させると共に、後方部分７５ｂをすくい上げ板２０の屈曲部２０ｃに重ね合わせて、前縁部での通気用開口部２１を覆うことによって、この前縁部での通気用開口部２１付近に滞留する粉粒体製品、あるいはこの前縁部での通気用開口部２１を通って通気用通路２３内への粉粒体製品の進入をなくして、全ての粉粒体製品をすくい上げ板２０にすくい上げることができ、効率的に排出することができる。
【００６５】
なお、上記図１〜図８に示す実施形態では、回転ドラム２の胴体部３が多角形状で、かつすくい上げ板２０を有する場合について説明したが、胴体部３が円筒形状の場合、あるいはすくい上げ板２０を有しないものにおいても、同様に実施出来ることは言うまでもない。
【００６６】
また、製品排出プレート部材４０，６０および製品排出促進スコープ部材５０は、それぞれ少なくとも１個設ければよいが、複数個設ければそれだけ粉粒体製品の排出効率が向上する。
【００６７】
また、製品排出促進スコープ部材５０の樋状部材５５は、図示例の構成に限らず、例えば、底板部５５ａは、図示例のように、平板状にする場合のみならず、断面形状が下方に凸状の湾曲状やＶ字状など、種々の変形が可能である。
【００６８】
【発明の効果】
本発明によれば、軸線回りに回転可能な回転ドラムを備え、前記回転ドラムは、筒状でかつその少なくとも一部に通気用多孔部を有する胴体部と、この胴体部に連なる傾斜状の前壁部および後壁部と、前記前壁部の端部に設けられた開口部とを有する粉粒体処理装置において、あるいは、さらに前記回転ドラムの胴体部にすくい上げ板を取付けた粉粒体処理装置において、前記回転ドラム内の製品の排出時に、回転ドラムに着脱自在に取付けられ、その側縁部が前記前壁部に配置されると共に、その胴体部側の端縁部が胴体部またはすくい上げ板に配置される製品排出プレート部材と、前記回転ドラム内の製品の排出時に、前記回転ドラムに着脱自在に取付けられ、その側縁部が胴体部またはすくい上げ板に配置され、前記製品排出プレート部材に向かって製品の流動を促進させる製品排出促進スコープ部材とを設けたことを特徴とするので、回転ドラム内に粉粒体原料を投入時，サンプリング品質確認時，点検時，清掃時および粉粒体の処理時には、製品排出プレート部材や製品排出促進スコープ部材は回転ドラムに取付けられていないので、従来装置と同様に作業することができ、粉粒体製品の排出時は、製品排出プレート部材や製品排出促進スコープ部材を回転ドラムに着脱自在に取付けることによって、粉粒体製品を自動的に排出することができる。
【００６９】
また、従来装置では、その構造上、胴体部にすくい上げ板を設けることができず、したがって粉粒体の転延作用が十分でなかったため、粉粒体を均質に処理することが困難で、粉粒体の処理に長時間を要していたが、本発明ではすくい上げ板を有する装置にも適用でき、粉粒体の転延作用が効率的に行なわれるため、粉粒体を均質処理が可能で処理が短時間で行なえる。
【００７０】
また、上記すくい上げ板を有する構成において、前記すくい上げ板が、胴体部との間に回転ドラムの回転方向の前縁部での通気用開口部を有し、さらに前記回転ドラム内からの粉粒体製品の排出時に、前記回転ドラムに着脱自在に取付けられ、前記前縁部での通気用開口部を閉止する第２製品排出促進スコープ部材を有する構成においては、粉粒体製品の排出時に、回転ドラムに回転方向の前方側のすくい上げ板の後縁部から落下する粉粒体製品が、前記前縁部での通気用開口部で滞留したり、前縁部での通気用開口部に進入することが防止されて、より確実、かつ効率的に回転ドラムからの粉粒体製品の排出が行なえる。
【図面の簡単な説明】
【図１】本発明の実施形態に係る粉粒体処理装置の全体構成の一部を断面で示した概略側断面図である。
【図２】本発明の実施形態に係る粉粒体処理装置の全体構成の軸線に直交方向の概略縦断面図である。
【図３】本発明の粉粒体処理装置における胴体部へのすくい上げ板の取付け状態を示す要部拡大側断面図である。
【図４】本発明の粉粒体処理装置における製品排出プレート部材の回転ドラムへの取付状態を示す要部拡大側断面図である。
【図５】本発明の粉粒体処理装置における製品排出プレート部材の斜視図である。
【図６】本発明の粉粒体処理装置における製品排出促進スコープ部材の回転ドラムへの取付状態を示す要部概略斜視図である。
【図７】（Ａ）は本発明の粉粒体処理装置における異なる実施形態の製品排出プレート部材の正面図、（Ｂ）は排出促進プレート部の平面図である。
【図８】図７の製品排出プレート部材の回転ドラムへの取付状態を示す要部概略斜視図である。
【図９】本発明の粉粒体処理装置における第２製品排出促進スコープ部材の回転ドラムへの取付状態を示す要部概略斜視図である。
【図１０】本発明の粉粒体処理装置における第２製品排出促進スコープ部材の取付状態を示す要部拡大側断面図である。
【図１１】従来の粉粒体処理装置における概略構成の一部を断面で示す概略側面図である。
【図１２】図１０の粉粒体処理装置の軸線に直交方向の正縦断面図である。
【符号の説明】
１　ケーシング
２　回転ドラム
３　胴体部
４　前壁部
５　後壁部
６　フロントリング
７　開口部
８　空気チャンネル
９　ディストリビュータ
１０　蓋
２０　すくい上げ板
２０ａ　前縁部
２０ｂ　後縁部
２０ｃ　屈曲部
２１　前縁部での通気用開口部
２２　後縁部での通気用開口部
２３　通気用通路
２４　ガイド部材
３０　製品排出部
３１　製品排出シュート
３２　蓋
４０、６０　製品排出プレート部材
４１　取付部
４３　基部
４４　製品搬送部
４５　傾斜面部
４６　縁部
４７　排出促進プレート部
５０、７０　製品排出促進スコープ部材
５１、７１　取付部
５４、７４　支持部材
５５　樋状部材
７５　閉止部材
【図１】
2004097853.tif 000003
【図２】
2004097853.tif 000004
【図３】
2004097853.tif 000005
【図４】
2004097853.tif 000006
【図５】
2004097853.tif 000007
【図６】
2004097853.tif 000008
【図７】
2004097853.tif 000009
【図８】
2004097853.tif 000010
【図９】
2004097853.tif 000011
【図１０】
2004097853.tif 000012
【図１１】
2004097853.tif 000013
【図１２】
2004097853.tif 000014